(57)【要約】【課題】左右のスピーカの音量および音質のバランスの悪化を抑制できるプロジェクタを提供すること。【解決手段】使用者は、通常、投射画像の正面中央で投射画像を鑑賞するので、プロジェクタの設置位置と投射画像の形成位置との左右方向における位置関係は、プロジェクタの設置位置と使用者の鑑賞位置との左右方向における位置関係を示す。本発明では、プロジェクタの設置位置と投射画像の形成位置との左右方向における位置関係を示す位置関係パラメータを、パラメータ取得手段５１，５２，５３，６２１が取得する。そして、補正手段６３１が、プロジェクタの設置位置と使用者の鑑賞位置との左右方向における位置関係を示す前記位置関係パラメータに基づいて音声信号を補正するので、使用者からの左右方向における距離が異なる各スピーカ３１，３２の音量バランスおよび音質バランスの少なくともいずれかを調整できる。【選択図】図２
2009229939.tif 000002
【特許請求の範囲】
【請求項１】
光源装置と、前記光源装置から射出された光束を画像情報に応じて変調して画像光を形成する光変調装置と、前記画像光を投射面上に拡大投射して前記投射面上に投射画像を形成する投射光学装置と、複数のスピーカとを備えたプロジェクタであって、
音声信号を取得する音声取得手段と、
当該プロジェクタの設置位置と、前記投射面上における前記投射画像の形成位置との位置関係に係る位置関係パラメータを取得するパラメータ取得手段と、
前記パラメータ取得手段により取得された前記位置関係パラメータに基づいて前記取得した音声信号を補正する補正手段と、
補正された前記音声信号を前記複数のスピーカに出力する出力手段とを備えていることを特徴とするプロジェクタ。
【請求項２】
請求項１に記載のプロジェクタであって、
前記投射光学装置を左右方向に移動させて前記投射面上での前記投射画像の左右位置を調整する投射位置調整装置を備え、
前記パラメータ取得手段は、前記投射位置調整装置による前記投射光学装置の左右方向の移動量を前記位置関係パラメータとして取得する光学装置移動量取得部を備えていることを特徴とするプロジェクタ。
【請求項３】
請求項１に記載のプロジェクタであって、
投射する画像光に係る画像情報を取得する画像取得手段と、
前記投射画像に歪みが生じないように、前記画像取得手段により取得された前記画像情報を補正する歪み補正手段とを備え、
前記パラメータ取得手段は、前記歪み補正手段による前記画像情報の補正量を、前記位置関係パラメータとして取得する補正量取得部を備えていることを特徴とするプロジェクタ。
【請求項４】
請求項２または請求項３に記載のプロジェクタであって、
前記投射光学装置は、ズームレンズと、前記ズームレンズを、前記ズームレンズに入射する画像光の入射方向に沿って進退させて当該投射光学装置の倍率を調整する倍率調整手段とを備え、
前記パラメータ取得手段は、前記倍率調整手段による前記ズームレンズの移動量を前記位置関係パラメータとして取得するズームレンズ移動量取得部を備えていることを特徴とするプロジェクタ。
【請求項５】
請求項２から請求項４のいずれかに記載のプロジェクタであって、
前記投射光学装置は、フォーカスレンズと、前記フォーカスレンズを、前記フォーカスレンズに入射する画像光の入射方向に沿って進退させて当該投射光学装置のフォーカス位置を調整するフォーカス位置調整手段とを備え、
前記パラメータ取得手段は、前記フォーカス位置調整手段による前記フォーカスレンズの移動量を前記位置関係パラメータとして取得するフォーカスレンズ移動量取得部を備えていることを特徴とするプロジェクタ。
【発明の詳細な説明】
【技術分野】
【０００１】
本発明は、プロジェクタに関する。
【背景技術】
【０００２】
従来、光源装置（照明光学系）と、光源装置（照明光学系）から射出された光束を画像情報に応じて変調して画像光を形成する光変調装置（液晶ライトバルブ）と、画像光をスクリーンや壁面に拡大投射する投射光学装置（投射光学系）と、ステレオスピーカとを備えたプロジェクタが知られている（例えば、特許文献１参照）。この特許文献１に記載のプロジェクタでは、ステレオスピーカは、プロジェクタの後方から見て筐体の左側に設けられた左スピーカ（左チャンネルスピーカ）と、プロジェクタの後方から見て筐体の右側に設けられた右スピーカ（右チャンネルスピーカ）とから構成されている。そして、これら左右のスピーカにより、２チャンネルの臨場感のある音声を出力できる。
【０００３】
【特許文献１】特開２００５−７７９１２号公報
【発明の開示】
【発明が解決しようとする課題】
【０００４】
ところで、プロジェクタでは、一般的に使用者は、投射画像の正面中央で当該画像を鑑賞する。従って、特許文献１に記載のプロジェクタでは、投射面においてプロジェクタの正面の領域に画像光を投射した場合には、プロジェクタの設置位置と使用者の鑑賞位置とが、画像光の投射方向上に共に位置することとなり、使用者の鑑賞位置が、プロジェクタの左右のスピーカからの距離が等しくなる位置に位置することとなるので、プロジェクタは、使用者に音量および音質バランスのとれた音声を出力することができる。
【０００５】
しかしながら、プロジェクタは、投射面上の投射したい領域に対して左右方向にずれた位置に設置され、例えば投射レンズを左右に移動させることにより、投射画像の位置を投射面上の投射したい領域に位置付ける場合がある。この場合、投射画像の正面で当該画像を鑑賞する使用者の鑑賞位置は、プロジェクタの設置位置に対し、左右いずれかの側に位置することとなる。しかしながら、特許文献１に記載のプロジェクタでは、このように、使用者の鑑賞位置がプロジェクタの設置位置に対して左右いずれかの側に位置した場合、左右のスピーカで使用者の鑑賞位置まで距離が異なることとなるため、使用者に音量および音質バランスのとれた音声を出力することができないという問題があった。
【０００６】
本発明の目的は、左右のスピーカの音量および音質のバランスの悪化を抑制できるプロジェクタを提供することにある。
【課題を解決するための手段】
【０００７】
本発明のプロジェクタは、光源装置と、前記光源装置から射出された光束を画像情報に応じて変調して画像光を形成する光変調装置と、前記画像光を投射面上に拡大投射して前記投射面上に投射画像を形成する投射光学装置と、複数のスピーカとを備えたプロジェクタであって、音声信号を取得する音声取得手段と、当該プロジェクタの設置位置と、前記投射面上における前記投射画像の形成位置との位置関係に係る位置関係パラメータを取得するパラメータ取得手段と、前記パラメータ取得手段により取得された前記位置関係パラメータに基づいて前記取得した音声信号を補正する補正手段と、補正された前記音声信号を前記複数のスピーカに出力する出力手段とを備えていることを特徴とする。
ここで、「プロジェクタの設置位置と、投射画像の形成位置との位置関係」とは、具体的には、プロジェクタの後方側から投射面と正対した状態でプロジェクタの設置位置と、投射面上における投射画像の形成位置とを見た場合のプロジェクタの設置位置と投射画像の形成位置との左右方向における位置関係を意味する。以下、左右方向とは、プロジェクタの後方側から投射面と正対した状態で投射面側を見た場合の左右方向のことを意味するものとする。
【０００８】
使用者は、通常、投射画像の正面中央で投射画像を鑑賞する。従って、プロジェクタの設置位置と投射画像の形成位置との左右方向における位置関係は、プロジェクタの設置位置と使用者の鑑賞位置との左右方向における位置関係を示す。
これに対し、本発明によれば、プロジェクタの設置位置と投射画像の形成位置との左右方向における位置関係を示す位置関係パラメータをパラメータ取得手段が取得する。そして、補正手段が、プロジェクタの設置位置と投射画像の形成位置との左右方向における位置関係、すなわち、プロジェクタの設置位置と使用者の鑑賞位置との左右方向における位置関係を示す位置関係パラメータに基づいて音声信号を補正するので、使用者からの左右方向における距離が異なる各スピーカの音量バランスおよび音質バランス（位相、遅延量等を含む）の少なくともいずれかを調整できる。
【０００９】
例えば補正手段は、位置関係パラメータが、使用者の鑑賞位置（投射画像の形成位置）がプロジェクタの設置位置の左側にあることを示すものであった場合、複数のスピーカのうち、左側（使用者の鑑賞位置から距離が近い側）のスピーカの音量を小さくし、右側（使用者の鑑賞位置から離れている側）のスピーカの音量を大きくするように音声信号を補正できる。また、位置関係パラメータが、使用者の鑑賞位置（投射画像の形成位置）がプロジェクタから左右方向において離れていることを示すものであった場合、補正手段は、使用者からの距離が近い側のスピーカの音量をより小さくし、使用者から離れている側のスピーカの音量をより大きくするように音声信号を補正できる。逆に、位置関係パラメータが、使用者の鑑賞位置がプロジェクタから左右方向において近いことを示すものであった場合、左右の音量の差を小さくするように音声信号を補正できる。従って、プロジェクタの設置位置と使用者の鑑賞位置との位置関係に起因する左右のスピーカの音量および音質のバランスの悪化を抑制できる。
また、補正手段が、取得された位置関係パラメータに基づいて自動で音声信号を補正するので、各スピーカの音量および音声の調整を使用者が手動で行う必要がなく、プロジェクタの利便性を向上できる。
【００１０】
本発明のプロジェクタでは、前記投射光学装置を左右方向に移動させて前記投射面上での前記投射画像の左右位置を調整する投射位置調整装置を備え、前記パラメータ取得手段は、前記投射位置調整装置による前記投射光学装置の左右方向の移動量を前記位置関係パラメータとして取得する光学装置移動量取得部を備えていることが好ましい。
【００１１】
ここで、投射面上における画像光を投射させたい領域に対し、プロジェクタが左右方向にずれた位置に設置される場合がある。この場合、投射位置調整装置が、投射光学装置を左右方向に移動させることにより、投射画像をプロジェクタの正面から前記領域に移動させることがある。このような場合、すなわち例えば投射位置調整装置が投射光学装置を左側に移動させ、投射画像をプロジェクタの正面から左側に移動させた場合には、投射画像の正面中央で投射画像を鑑賞する使用者の鑑賞位置は、プロジェクタの左側に位置することとなる。逆に投射位置調整装置が投射光学装置を右側に移動させ、投射画像をプロジェクタの右側に移動させた場合には、使用者の鑑賞位置は、プロジェクタの右側に位置することとなる。
【００１２】
また、投射位置調整装置が投射光学装置を左右に移動させるほど、投射画像の形成位置は、プロジェクタから左右方向に離れていくことになる。すなわち、使用者の鑑賞位置がプロジェクタから左右方向に離れていくことになる。
すなわち、投射位置調整装置による投射光学装置の左右方向における移動量は、使用者の鑑賞位置がプロジェクタの左右いずれの側に位置するか、および、プロジェクタの設置位置と使用者の鑑賞位置との左右方向における距離を示す。
これに対し、本発明によれば、プロジェクタは、光学装置移動量取得部を備えているので、プロジェクタの設置位置と使用者の鑑賞位置との左右方向における位置関係を示す投射光学装置の移動量を取得でき、これにより、補正手段がこの投射光学装置の移動量に基づいて音声信号を補正することができるので、確実にスピーカの音量および音質のバランスの悪化を抑制できる。
【００１３】
本発明のプロジェクタでは、投射する画像光に係る画像情報を取得する画像取得手段と、前記投射画像に歪みが生じないように、前記画像取得手段により取得された前記画像情報を補正する歪み補正手段とを備え、前記パラメータ取得手段は、前記歪み補正手段による前記画像情報の補正量を、前記位置関係パラメータとして取得する補正量取得部を備えていることが好ましい。
【００１４】
ここで、投射面上における画像光を投射させたい領域に対し、プロジェクタが左右方向にずれた位置に設置される場合がある。この場合、プロジェクタが投射面に対して傾斜配置される（プロジェクタの画像光の射出方向が投射面に対して傾斜するように配置される）ことにより、投射画像が前記領域に位置づけられることがある。
このような場合、すなわち例えばプロジェクタが投射面における投射させたい領域に対して右側に設置され、前記領域に向かって傾斜配置された場合、投射画像はプロジェクタの左側に形成される。すなわち、使用者の鑑賞位置は、プロジェクタの左側に位置することとなる。この場合、投射画像の左側の幅が広くなるとともに右側の幅が狭くなるので、歪み補正手段は、画像情報に係る画像の左側の幅を狭めるとともに右側の幅を広くする横台形歪み補正を画像情報に対して行う。
逆に、プロジェクタが投射面における投射させたい領域に対して左側に設置され、前記領域に向かって傾斜配置された場合、投射画像はプロジェクタの右側に形成されるので、使用者の鑑賞位置は、プロジェクタの右側に位置することとなる。この場合、投射画像の右側の幅が広くなるとともに左側の幅が狭くなるので、歪み補正手段は、画像情報に係る画像の右側の幅を狭めるとともに左側の幅を広くする横台形歪み補正を画像情報に対して行う。
【００１５】
また、プロジェクタが投射面に対して傾斜して配置されるほど、投射画像の形成位置は、プロジェクタから左右方向に離れていくことになり、使用者の鑑賞位置がプロジェクタから左右方向に離れていくことになる。そして、投射画像に生じる歪み量も増加するので、歪み補正手段の画像情報に対する補正量も増加する。
すなわち、歪み補正手段による画像情報の補正量は、使用者の鑑賞位置がプロジェクタの左右いずれの側に位置するか、および、プロジェクタの設置位置と使用者の鑑賞位置との左右方向における距離を示す。
これに対し、本発明によれば、プロジェクタは、補正量取得部を備えているので、プロジェクタの設置位置と使用者の鑑賞位置との左右方向における位置関係を示す歪み補正手段による画像情報の補正量を取得でき、これにより、補正手段がこの画像情報の補正量に基づいて音声信号を補正することができるので、確実にスピーカの音量および音質のバランスの悪化を抑制できる。
【００１６】
本発明のプロジェクタでは、前記投射光学装置は、ズームレンズと、前記ズームレンズを、前記ズームレンズに入射する画像光の入射方向に沿って進退させて当該投射光学装置の倍率を調整する倍率調整手段とを備え、前記パラメータ取得手段は、前記倍率調整手段による前記ズームレンズの移動量を前記位置関係パラメータとして取得するズームレンズ移動量取得部を備えていることが好ましい。
【００１７】
プロジェクタが投射画像を投射面において当該プロジェクタの例えば左側に形成する場合、使用者の鑑賞位置は、プロジェクタの左側に位置することとなる。このような場合において、倍率調整手段がズームレンズを所定の基準位置から、入射する画像光の入射方向に沿った一方側に移動させて投射光学装置の倍率を増大させた場合、投射画像の画郭の拡大に伴って、投射画像の中心がプロジェクタからより左側に離れるので、使用者の鑑賞位置はプロジェクタからより左側に離れていくことになる。逆に、倍率調整手段がズームレンズを所定の基準位置から、入射する画像光の入射方向に沿った他方側に移動させて投射光学装置の倍率を減少させた場合、投射画像の画郭の縮小に伴って投射画像の中心がプロジェクタに近づくので、使用者の鑑賞位置はプロジェクタに近づいていくことになる。
すなわち、ズームレンズの移動量は、プロジェクタの設置位置と使用者の鑑賞位置との左右方向における距離を示す。
これに対し、本発明によれば、プロジェクタは、ズームレンズ移動量取得部を備えているので、プロジェクタの設置位置と使用者の鑑賞位置との左右方向における距離を示すズームレンズの移動量を取得でき、これにより、補正手段がこのズームレンズの移動量に基づいて音声信号を補正することができるので、確実にスピーカの音量および音質のバランスの悪化を抑制できる。
【００１８】
本発明のプロジェクタでは、前記投射光学装置は、フォーカスレンズと、前記フォーカスレンズを、前記フォーカスレンズに入射する画像光の入射方向に沿って進退させて当該投射光学装置のフォーカス位置を調整するフォーカス位置調整手段とを備え、前記パラメータ取得手段は、前記フォーカス位置調整手段による前記フォーカスレンズの移動量を前記位置関係パラメータとして取得するフォーカスレンズ移動量取得部を備えていることが好ましい。
【００１９】
プロジェクタが投射画像を投射面において当該プロジェクタの左側に形成する場合、使用者の鑑賞位置は、プロジェクタの左側に位置することとなる。このような場合において、フォーカス位置調整手段がフォーカスレンズを所定の基準位置から、入射する画像光の入射方向に沿った一方側に移動させて投射光学装置のフォーカス位置を画像光の射出方向先端側に移動させた場合、プロジェクタから離れた位置に投射画像が形成されることになるので、投射画像の画郭が拡大し、投射画像の中心がプロジェクタからより左側に離れるので、使用者の鑑賞位置は、プロジェクタからより左側に離れることになる。逆に、フォーカス位置調整手段がフォーカスレンズを所定の基準位置から、入射する画像光の入射方向に沿った他方側に移動させて投射光学装置のフォーカス位置を画像光の射出方向基端側に移動させた場合、プロジェクタに近い位置に投射画像が形成されることになるので、投射画像の画郭が縮小し、投射画像の中心がプロジェクタに近づくので、使用者の鑑賞位置はプロジェクタに近づくことになる。
すなわち、フォーカスレンズの移動量は、プロジェクタの設置位置と使用者の鑑賞位置との左右方向における距離を示す。
これに対し、本発明によれば、プロジェクタは、フォーカスレンズ移動量取得部を備えているので、プロジェクタの設置位置と使用者の鑑賞位置との左右方向における距離を示すフォーカスレンズの移動量を取得でき、これにより、補正手段がこのフォーカスレンズの移動量に基づいて音声信号を補正することができるので、確実にスピーカの音量および音質のバランスの悪化を抑制できる。
【発明を実施するための最良の形態】
【００２０】
〔プロジェクタの構成〕
以下、本発明の一実施形態を図面に基づいて説明する。
図１は、本実施形態のプロジェクタ１を示す斜視図である。
プロジェクタ１は、画像光をスクリーンＳｃ（図２参照）に拡大投射するとともに音声を出力するものである。なお、本実施形態では、画像光を投射する投射面としてスクリーンＳｃを利用するものとするが、投射面として壁面を利用してもよい。このプロジェクタ１は、図１に示すように、直方体状の外装筐体１１と、この外装筐体１１内に収納されるとともに一部が外装筐体１１から露出するプロジェクタ本体１２とから構成されている。
【００２１】
外装筐体１１の前面１１１からは、プロジェクタ本体１２を構成し、画像光をスクリーンＳｃに拡大投射する投射光学装置４３が露出している。この投射光学装置４３には、倍率を調整するためのズームリング４３２１と、フォーカス位置を調整するためのフォーカスリング４３３１とが設けられている。これら投射光学装置４３、ズームリング４３２１、およびフォーカスリング４３３１の構成については後述する。また、外装筐体１１の天面１１２には、投射光学装置４３を移動させて、スクリーンＳｃ上の投射画像の位置を調整する詳しくは後述するダイヤル４４１が設けられている。
さらに外装筐体１１の天面１１２には操作手段２が設けられている。操作手段２は、使用者による入力操作に応じた操作信号をプロジェクタ本体１２に出力する。使用者によるこの操作手段２の操作により、投射画像の歪み補正や、後述するステレオスピーカ３（図２参照）の音量調整（個別のスピーカの音量調整ではなく、スピーカ３全体としての音量調整）が行われる。
【００２２】
図２は、プロジェクタ本体１２の構成を示すブロック図である。
プロジェクタ本体１２は、図２に示すように、ステレオスピーカ３と、光学ユニット４と、レンズパラメータ取得手段５と、制御装置６とを備えている。
ステレオスピーカ３は、制御装置６による制御の下、音声を出力する。このステレオスピーカ３は、画像光の射出方向に向かってプロジェクタ１の左側に設けられた左スピーカ３１と、画像光の射出方向に向かってプロジェクタ１の右側に設けられた右スピーカ３２とを備えている。
【００２３】
光学ユニット４は、制御装置６から出力される画像情報に応じて画像光を形成し、当該画像光を拡大投射するものである。この光学ユニット４は、光源装置４１と、光変調装置４２と、投射光学装置４３と、投射位置調整装置４４とを備えている。また、図示を略したが、光学ユニット４は、これらの構成のほか、光源装置４１から射出された光束をＲ（赤）、Ｇ(緑)、およびＢ（青）の各色光に分離する色分離光学装置と、各色光を合成するクロスダイクロイックプリズム等の色合成光学装置とを備えている。
光源装置４１は、放電型の光源ランプと、光源ランプから射出された放射光を反射するリフレクタとを備え、光束を前述の色分離光学装置側へ射出する。この光源装置４１から射出された光束は、前述の色分離光学装置によりＲ、Ｇ、Ｂの各色光に分離される。
【００２４】
光変調装置４２は、色分離光学装置により分離されたＲ、Ｇ、Ｂの各色光の光路上にそれぞれ配置された３つの液晶パネルから構成されており、入射光束を制御装置６から出力される画像情報に応じて変調する。各液晶パネルにより変調された各色光に応じた画像光は色合成光学装置により合成される。
投射光学装置４３は、光変調装置４２から射出され、色合成光学装置により合成された画像光を拡大投射する。この投射光学装置４３は、投射レンズ４３１と、倍率調整手段４３２と、フォーカス位置調整手段４３３とを備えている。
【００２５】
投射レンズ４３１は、筒状の鏡筒４３１１（図１参照）内に複数のレンズが収納された組レンズとして構成されている。この投射レンズ４３１は、当該投射レンズ４３１の倍率調整に寄与するズームレンズと、当該投射レンズ４３１のフォーカス位置調整に寄与するフォーカスレンズとを備えている。前記鏡筒４３１１は、複数の部材が接続されることにより構成されており、後述する図示しないズーム部およびフォーカス部を備えている。
【００２６】
倍率調整手段４３２は、ズームレンズを、当該ズームレンズに入射する光束の入射方向（入射光束の透過領域の中心軸、入射光束の進行方向）に沿って進退させることで投射レンズ４３１の倍率を調整する。この倍率調整手段４３２は、前記鏡筒４３１１のズーム部と、ズーム部を駆動するズームリング４３２１（図１参照）とを備えている。ズーム部は回転することで、ズームレンズを、当該ズームレンズに入射する光束の入射方向に沿って進退させる。ズームリング４３２１は、鏡筒４３１１に回転可能な状態で嵌められている。このズームリング４３２１にはつまみ４３２２が形成されている。ズームリング４３２１は、使用者によってつまみ４３２２が操作されて回転することにより、ズーム部を回転させて投射レンズ４３１の倍率を変更させる。具体的には、ズームリング４３２１は、所定の基準位置（図１の位置）から図１の矢印Ａ１側（ワイド端側）に回転することで、投射レンズ４３１の倍率を増加させ、投射画像の画郭を拡大させる。また、ズームリング４３２１は、所定の基準位置から図１の矢印Ａ２側（テレ端側）に回転することで、投射レンズ４３１の倍率を減少させ、投射画像の画郭を縮小させる。
【００２７】
フォーカス位置調整手段４３３は、フォーカスレンズを、当該フォーカスレンズに入射する光束の入射方向（入射光束の透過領域の中心軸、入射光束の進行方向）に沿って進退させることで投射レンズ４３１のフォーカス位置を調整する。このフォーカス位置調整手段４３３は、鏡筒４３１１のフォーカス部と、フォーカス部を駆動するフォーカスリング４３３１（図１参照）とを備えている。フォーカス部は回転することで、フォーカスレンズを、当該フォーカスレンズに入射する光束の入射方向に沿って進退させる。フォーカスリング４３３１は、鏡筒４３１１に回転可能な状態で嵌められている。このフォーカスリング４３３１の外周部にはローレット加工が施されている。フォーカスリング４３３１は、使用者によって操作されて回転することにより、フォーカス部を回転させて投射レンズ４３１のフォーカス位置を移動させる。具体的には、フォーカスリング４３３１は、所定の基準位置から図１の矢印Ａ１側に回転することで、投射レンズ４３１のフォーカス位置を所定の基準位置から画像光の投射方向先端側（プロジェクタから離れる側）に移動させ、所定の基準位置から図１の矢印Ａ２側に回転することで、フォーカス位置を所定の基準位置から投射方向基端側（プロジェクタに近づく側）に移動させる。
【００２８】
図２に戻って、投射位置調整装置４４は、鏡筒４３１１を左右に移動させ、投射レンズ４３１（投射光学装置４３）を左右に移動させることで、スクリーンＳｃ上の投射画像の左右位置を調整する。この投射位置調整装置４４は、図示しない固定板と、移動板と、押圧部材と、駆動機構とを備えている。
固定板は、板面が投射光学装置４３の画像光の投射方向と直交する平面と平行となるように固定され、鏡筒４３１１、および投射位置調整装置４４における他の構成（移動板、押圧部材、駆動機構）を支持する。
【００２９】
移動板は、鏡筒４３１１（投射レンズ４３１）を支持し、固定板の板面に沿って左右方向に移動可能に構成されている。
押圧部材は、移動板を、当該移動板が移動可能な状態で固定板に対して押圧固定する。
駆動機構は、歯車やリンク部材で構成され、移動板を左右に移動させる。この駆動機構は、外装筐体１１から露出する前述のダイヤル４４１（図１参照）を備えている。そして、駆動機構は、使用者によりダイヤル４４１がＸ１方向に回転させられることで、移動板をプロジェクタの後方から見て左側（図１において矢印Ｌ側）に移動させる。すなわち、駆動機構は、ダイヤル４４１がＸ１方向に回転させられることで、移動板を介して鏡筒４３１１（投射レンズ４３１）を左側に移動させ、スクリーンＳｃ上の投射画像の位置を左側に移動させる。また、駆動機構は、使用者によりダイヤル４４１がＸ２方向に回転させられることで、移動板をプロジェクタの後方から見て右側（図１において矢印Ｒ側）に移動させる。すなわち、駆動機構は、ダイヤル４４１がＸ２方向に回転させられることで、移動板を介して鏡筒４３１１（投射レンズ４３１）を右側に移動させ、スクリーンＳｃ上の投射画像の位置を右側に移動させる。
【００３０】
レンズパラメータ取得手段５は、投射レンズ４３１に係る各種のパラメータ、すなわち投射レンズ４３１の倍率、フォーカス位置の移動量、および投射レンズ４３１（投射光学装置４３）の移動量であるレンズシフト量を取得する。これらのパラメータは、後述するが、プロジェクタ１の設置位置と投射画像の形成位置との左右方向における位置関係により変動する本発明の位置関係パラメータとなっている。このレンズパラメータ取得手段５は、ズームレンズ移動量取得部５１と、フォーカスレンズ移動量取得部５２と、レンズシフト量取得部５３とを備えている。
【００３１】
ズームレンズ移動量取得部５１は、ズームレンズの移動量を取得し、制御装置６に出力する。このズームレンズ移動量取得部５１は、例えばズームリング４３２１に設けられた抵抗と、当該抵抗と接続する回路とを備えて構成される。ここで、回路の抵抗値は、ズームリング４３２１の回転量に対応し、ズームリング４３２１の回転量は、ズームレンズの移動量に対応する。すなわち、抵抗値からズームレンズの移動量を算出することができる。よって、ズームレンズ移動量取得部５１は、検出した回路の抵抗値からズームレンズの移動量を算出して取得する。具体的には、ズームレンズ移動量取得部５１は、ズームリング４３２１がワイド端側（Ａ１側）に回され、ズームレンズが所定の基準位置から投射レンズ４３１の倍率を増加させる方向に移動した場合、大きな値のズームレンズ移動量を取得し、ズームリング４３２１がテレ端側（Ａ２側）に回され、ズームレンズが所定の基準位置から投射レンズ４３１の倍率を減少させる方向に移動した場合、小さな値のズームレンズ移動量を取得する。
【００３２】
フォーカスレンズ移動量取得部５２は、投射レンズ４３１のフォーカス位置の移動量を取得し、制御装置６に出力する。このフォーカスレンズ移動量取得部５２は、ズームレンズ移動量取得部５１と同様に、例えばフォーカスリング４３３１に設けられた抵抗と、当該抵抗と接続する回路とを備えて構成され、検出した回路の抵抗値からフォーカスレンズの移動量を算出して取得する。具体的には、フォーカスレンズ移動量取得部５２は、フォーカスリング４３３１がＡ１側に回され、フォーカスレンズが、所定の基準位置から投射レンズ４３１のフォーカス位置を画像光の射出方向先端側に移動させる方向に移動した場合、プラス値のフォーカスレンズ移動量を取得する。また、フォーカスレンズ移動量取得部５２は、フォーカスリング４３３１がＡ２側に回され、フォーカスレンズが、所定の基準位置から投射レンズ４３１のフォーカス位置を画像光の射出方向基端側に移動させる方向に移動した場合、マイナス値のフォーカスレンズ移動量を取得する。
【００３３】
レンズシフト量取得部５３は、本発明の光学装置移動量取得部であり、投射レンズ４３１（投射光学装置４３）の左右方向における移動量（レンズシフト量）を取得し、制御装置６に出力する。このレンズシフト量取得部５３は、前記各検出手段５１，５２と同様に、例えばダイヤル４４１に設けられた抵抗と、当該抵抗と接続する回路とを備えて構成され、検出した回路の抵抗値からレンズシフト量を算出して取得する。具体的には、レンズシフト量取得部５３は、ダイヤル４４１がＸ１側に回され、投射レンズ４３１がプロジェクタ１の後方から見て左側に移動した場合、レンズシフト量をプラス値で取得する。また、レンズシフト量取得部５３は、ダイヤル４４１がＸ２側に回され、投射レンズ４３１がプロジェクタ１の後方から見て右側に移動した場合、レンズシフト量をマイナス値で取得する。
【００３４】
なお、本実施形態では、各取得部５１〜５３は、制御装置６とは別に設けられたが、制御装置６内に設けられていてもよい。すなわち、例えば、ズームリング４３２１の移動量に対応するパラメータ（例えば本実施形態における抵抗値）を検出する検出手段をズームレンズ移動量取得部５１とは別に設け、ズームレンズ移動量取得部５１は、この検出手段により検出されたパラメータからズームレンズの移動量を算出して取得してもよい。各取得部５２，５３についても同様である。
【００３５】
また、本実施形態では、ズームレンズ、フォーカスレンズ、投射レンズ４３１を手動で移動させる構成としたが、電動で移動させる構成としてもよい。すなわち、例えば、操作手段２の操作に応じてズームレンズを回転させるパルスモータを設けるとともに、パルスモータの回転量を検出するロータリーエンコーダ等の検出手段を設け、ロータリーエンコーダ等の検出手段により検出されるパルスモータの回転量から、ズームレンズ移動量取得部５１がズームレンズの移動量を算出して取得してもよい。各取得部５２，５３についても同様である。
【００３６】
制御装置６は、ＣＰＵ（Central Processing Unit）や記憶装置が実装された回路基板として構成され、プロジェクタ１全体を制御する。また、制御装置６は、取得された各位置関係パラメータに基づいて左右のスピーカ３１，３２それぞれの音量調整および音質調整を行う。このために、制御装置６は、画像取得手段６０と、音声取得手段６１と、第１制御手段６２と、第２制御手段６３と、記憶手段６４とを備えている。
記憶手段６４は、詳しくは後述するが、音声信号の補正に係る各種の補正値テーブルＴ１〜Ｔ４を記憶している。
【００３７】
画像取得手段６０は、プロジェクタに接続されたノートパソコン等の外部機器から、射出する画像光に係る画像情報を取得する。
音声取得手段６１は、プロジェクタに接続されたノートパソコン等の外部機器から、出力音声に係る音声信号を取得する。音声信号は、左スピーカ３１用の左音声信号と、右スピーカ３２用の右音声信号とを含んでいる。
【００３８】
第１制御手段６２は、取得された画像情報に所定の処理を施して光変調装置４２に出力する。所定の処理としては、画像情報に係る画像のサイズ調整、台形歪み補正、画質調整、およびガンマ補正を行うものがあるが、サイズ調整、画質調整、およびガンマ補正は周知の技術であり、本発明の特徴には関係しないので、以下では、本発明の特徴に関係する台形歪み補正についてのみ説明する。この第１制御手段６２は、歪み補正部６２１と、補正量取得部６２２と、第１出力部６２３とを備えている。
第１出力部６２３は、歪み補正部６２１等により補正された画像情報を光変調装置４２に出力する。
【００３９】
図３は、補正された画像情報に係る画像を示す図である。
歪み補正部６２１は、本発明の歪み補正手段であり、取得された画像情報に横台形歪み補正（横キーストン補正）を行う。ここで、図３に示すように、プロジェクタ１がスクリーンＳｃに対して右側（プロジェクタの後方から見て右側、以下同）に設置され、かつ、スクリーンＳｃに向かって傾斜配置された場合、スクリーン上に形成される投射画像Ａは、右側の幅が狭くなるとともに左側（プロジェクタの後方から見て左側、以下同）の幅が広くなる。従って、このような場合、歪み補正部６２１は、使用者による操作手段２の操作等により、画像情報に、当該画像情報に係る画像の右側の幅を広くするとともに左側の幅を狭くする横台形歪み補正を行い、スクリーンＳｃ上に形成される投射画像に生じる歪みを抑制する。プロジェクタ１がスクリーンＳｃに対して左側に設置され、かつ、スクリーンＳｃに向かって傾斜配置された場合は、歪み補正部６２１は、前述の場合とは逆に、画像情報に、当該画像情報に係る画像の左側の幅を広くするとともに右側の幅を狭くする横台形歪み補正を行う。
【００４０】
補正量取得部６２２は、画像情報に対する歪み補正部６２１の歪み補正量（キーストン補正量）を取得する。補正量取得部６２２は、例えば歪み補正部６２１が画像情報に、当該画像情報に係る画像の右側の幅を広くするとともに左側の幅を狭くする横台形歪み補正を行った場合は、プラスの歪み補正量を取得し、歪み補正部６２１が画像情報に、当該画像情報に係る画像の左側の幅を広くするとともに右側の幅を狭くする横台形歪み補正を行った場合は、マイナスの歪み補正量を取得する。また、歪み補正部６２１が画像をより歪ませる補正を行った場合には、より大きな値の歪み補正量を取得する。この歪み補正量は、詳しくは後述するが、プロジェクタ１の設置位置と投射画像の形成位置との左右方向における位置関係により変動する本発明の位置関係パラメータとなっている。本発明のパラメータ取得手段は、この補正量取得部６２２、および前述した各取得部５１〜５３を備えて構成されている。
【００４１】
第２制御手段６３は、各スピーカ３１，３２それぞれの音量調整および音質調整を行う。この第２制御手段６３は、判定部６３０と、補正部６３１と、本発明の出力手段である第２出力部６３２とを備えている。
判定部６３０は、レンズシフト量取得部５３により取得されたレンズシフト量と、補正量取得部６２２より取得された歪み補正量が共に０であるか否かを判定する。なお、本実施形態では、判定部６３０は、取得されたレンズシフト量と歪み補正量とが共に０であるか否かを判定するものとしたが、取得されたレンズシフト量と歪み補正量とが共に所定の範囲内にあるか否かを判定するものとしてもよい。
【００４２】
ここで、プロジェクタ１がスクリーンＳｃ（投射面において画像光を投射させたい領域）の中央正面に設置された場合、左右方向へのレンズシフトは不要であり、行われないので、レンズシフト量は０と取得される。また、投射画像に歪みは生じず、歪み補正は行われないので、歪み補正量も０と取得される。
【００４３】
また、プロジェクタ１がスクリーンＳｃの中央正面に設置された場合には、プロジェクタの設置位置と使用者の鑑賞位置とが画像光の投射方向上に共に位置することとなり、使用者の鑑賞位置が左右のスピーカから等しい距離に位置することとなるので、左右の音声信号を補正しなくても、左右の音量および音質バランスのとれた音声をスピーカ３１，３２から出力することができる。従って、取得されたレンズシフト量と歪み補正量とが判定部６３０により共に０であると判定された場合には、後述する補正部６３１は音声信号を補正しない。
【００４４】
一方、プロジェクタ１がスクリーンＳｃに対して左右方向にずれた位置に設置された場合には、投射画像をスクリーンＳｃ上に移動させるために、レンズシフトか、あるいはプロジェクタ１を傾斜配置させ、かつ投射画像に生じる歪みを抑制するために歪み補正を行うこととなるので、レンズシフト量か歪み補正量が０以外の値で取得される。そして、この場合には、プロジェクタ１の設置位置と、スクリーンＳｃ（投射面）上での投射画像の形成位置、すなわち使用者の鑑賞位置とが左右方向にずれるため、左右の音量および音質バランスが悪化する。従って、取得されたレンズシフト量と歪み補正量とが共には０でないと判定部６３０により判定された場合に、後述する補正部６３１は、音量および音質バランスの悪化を抑制するように音声信号を補正する。
【００４５】
補正部６３１は、本発明の補正手段であり、各取得部５１〜５３、および補正量取得部６２２により取得された各位置関係パラメータに基づき、使用者の鑑賞位置とプロジェクタ１の設置位置との左右方向における位置関係に起因する左右のスピーカ３１，３２の音量バランスおよび音質（位相、遅延量等を含む）バランスの悪化を抑制するように音声信号を補正する。具体的には、補正部６３１は、各位置関係パラメータに対応する補正係数を記憶手段６４から取得し、以下の（１）式に代入することにより、左音声信号に係る音量Ｌｖを、使用者による操作手段２の操作などにより設定された基準値Ｓｐから補正する。また、補正部６３１は、各位置関係パラメータに対応する補正係数を記憶手段６４から取得し、以下の（２）式に代入することにより、右音声信号に係る音量Ｒｖを基準値Ｓｐから補正する。
Ｌｖ＝Ｓｐ×（１＋（Ｓｈｌｅ＋Ｓｈｌｌ）×z×f）・・・（１）
Ｒｖ＝Ｓｐ×（１＋（Ｓｈｒｅ＋Ｓｈｒｌ）×z×f）・・・（２）
なお、ＳｈｌｅおよびＳｈｒｅは、レンズシフト量に係る補正係数となっており、ＳｈｌｌおよびＳｈｒｌは、歪み補正量に係る補正係数となっている。また、ｚは、ズームレンズの移動量に係る補正係数となっており、ｆはフォーカスレンズの移動量に係る補正係数となっている。以下、これら各補正係数について説明する。
【００４６】
図４は、レンズシフト量と、プロジェクタ１に対する使用者の鑑賞位置との関係とを示す図である。
図４に示すように、倍率調整手段４３２が投射レンズ４３１をプロジェクタ１の後方から見て左側に移動させ、投射画像の位置をプロジェクタ１より左側に移動させた場合、レンズシフト量取得部５３は、プラスの値のレンズシフト量を取得する。このように、レンズシフト量取得部５３によりプラスの値のレンズシフト量が取得された場合、投射画像の中央正面で投射画像を鑑賞する使用者の鑑賞位置は、プロジェクタ１の左側に位置することとなる。そこで、補正部６３１は、レンズシフト量取得部５３によりプラスの値のレンズシフト量が取得された場合、左スピーカ３１の音量Ｌｖを小さくするとともに、右スピーカ３２の音量Ｒｖを大きくするように音声信号を補正する。逆に、レンズシフト量取得部５３によりマイナスの値のレンズシフト量が取得された場合、使用者の鑑賞位置はプロジェクタ１の右側に位置することとなるので、補正部６３１は、右スピーカ３２の音量Ｒｖを小さくするとともに、左スピーカ３１の音量Ｌｖを大きくするように音声信号を補正する。ここで、レンズシフト量の絶対値が大きいほど、投射画像の移動量が大きいということであるので、使用者の鑑賞位置は、左右方向においてプロジェクタ１から離れる。そこで、前記補正の際に、補正部６３１は、取得されたレンズシフト量の絶対値が大きいほど、左右の音量Ｌｖ，Ｒｖの差が大きくなるように音声信号を補正する。
【００４７】
図５は、レンズシフト量と補正係数Ｓｈｌｅ、Ｓｈｒｅとの関係を示す図である。
具体的には、補正部６３１は、前述したように、レンズシフト量に対応した補正係数Ｓｈｌｅ、Ｓｈｒｅを記憶手段６４から取得し、前記式（１）、（２）に代入することにより、左右の音量Ｌｖ，Ｒｖを基準値Ｓｐから補正する。そこで、記憶手段６４には、図５に示すように、補正係数Ｓｈｌｅ、Ｓｈｒｅがレンズシフト量に関連付けられた第１補正値テーブルＴ１が記憶されている。この補正値テーブルＴ１では、プラスのレンズシフト量には、左スピーカ３１の音量Ｌｖを小さくする補正係数Ｓｈｌｅ（マイナス値）が関連付けられているとともに、右スピーカ３２の音量Ｒｖを大きくする補正係数Ｓｈｒｅ（プラス値）が関連付けられている。逆に、マイナスのレンズシフト量には、左スピーカ３１の音量Ｌｖを大きくする補正係数Ｓｈｌｅ（プラス値）が関連付けられているとともに、右スピーカ３２の音量Ｒｖを小さくする補正係数Ｓｈｒｅ（マイナス値）が関連付けられている。また、レンズシフト量の絶対値が大きいほど、左右の音量Ｌｖ，Ｒｖの差を大きくするように補正係数Ｓｈｌｅ，Ｓｈｒｅが関連付けられている。従って、補正部６３１は、取得されたレンズシフト量に対応した補正係数Ｓｈｌｅ、Ｓｈｒｅを記憶手段６４から取得し、前記式（１）、（２）に代入することにより、プロジェクタ１の設置位置と使用者の鑑賞位置との左右方向における位置関係に応じた音声信号の補正を行うことができ、プロジェクタ１の設置位置と使用者の鑑賞位置との位置関係に起因する音量バランスの悪化を防止できる。
【００４８】
図６は、歪み補正量と、プロジェクタ１に対する使用者の鑑賞位置とを示す図である。
スクリーンＳｃに対してプロジェクタ１の左右位置をずらして設置し、かつスクリーンＳｃに対してプロジェクタ１を傾斜配置させることで、前述のようなレンズシフトによらず、スクリーンＳｃ上の投射画像の位置を調整することがある。このような場合、スクリーンＳｃ上に形成される投射画像に歪みが生じるので、前述したように、歪み補正部６２１により投射画像の歪み補正が行われる。
【００４９】
この際、図６に示すように、歪み補正部６２１が画像の左側の幅を狭くし、右側の幅を大きくする歪み補正を行った場合、すなわち、補正量取得部６２２によりプラスの値の歪み補正量が取得された場合、使用者の鑑賞位置はプロジェクタ１の左側に位置することとなる。そこで、補正部６３１は、取得された歪み補正量がプラスの値であった場合、左スピーカ３１の音量Ｌｖを小さくするとともに、右スピーカ３２の音量Ｒｖを大きくするように音声信号を補正する。逆に、補正部６３１は、取得された歪み補正量がマイナスの値であった場合、使用者の鑑賞位置はプロジェクタ１の右側に位置することとなるので、右スピーカ３２の音量Ｒｖを小さくするとともに、左スピーカ３１の音量Ｌｖを大きくするように音声信号を補正する。
【００５０】
また、歪み補正量の絶対値が大きいほど、プロジェクタ１がスクリーンＳｃに対して傾斜して配置されているということであり、投射画像の形成位置（スクリーンＳｃ）が左右方向においてプロジェクタから離れる。すなわち、使用者の鑑賞位置が左右方向においてプロジェクタ１から離れる。そこで、前記補正の際に、補正部６３１は、取得された歪み補正量の絶対値が大きいほど、左右の音量Ｌｖ，Ｒｖの差が大きくなるように音声信号を補正する。
【００５１】
図７は、歪み補正量と補正係数Ｓｈｌｌ、Ｓｈｒｌとの関係を示す図である。
具体的には、補正部６３１は、歪み補正量に対応した補正係数Ｓｈｌｌ、Ｓｈｒｌを記憶手段６４から取得し、前記式（１）、（２）に代入することにより、左右の音量Ｌｖ，Ｒｖを基準値Ｓｐから補正する。そこで、記憶手段６４には、図７に示すように、補正係数Ｓｈｌｌ、Ｓｈｒｌが歪み補正量に関連付けられた第２補正値テーブルＴ２が記憶されている。この補正値テーブルＴ２では、前述の補正値テーブルＴ１と同様に、プロジェクタ１と使用者との左右方向における位置関係に基づいて、補正部６３１が好適に左右の音量バランスの調整を行うことができるように、補正係数Ｓｈｌｌ、Ｓｈｒｌが歪み補正量に関連付けられている。
【００５２】
すなわち、使用者がプロジェクタ１の左側に位置する場合に取得されるプラスの歪み補正量には、左スピーカ３１の音量Ｌｖを小さくする補正係数Ｓｈｌｅ（マイナス値）が関連付けられているとともに、右スピーカ３２の音量Ｒｖを大きくする補正係数Ｓｈｒｌ（プラス値）が関連付けられている。また、使用者がプロジェクタの右側に位置する場合に取得されるマイナスの歪み補正量には、右スピーカ３２の音量Ｒｖを小さくする補正係数Ｓｈｒｌ（マイナス値）が関連付けられているとともに、左スピーカ３１の音量Ｌｖを大きくする補正係数Ｓｈｌｌ（プラス値）が関連付けられている。また、歪み補正量の絶対値が大きいほど、左右の音量Ｌｖ，Ｒｖの差を大きくするように補正係数Ｓｈｌｌ、Ｓｈｒｌが関連付けられている。従って、補正部６３１は、取得された歪み補正量に対応した補正係数Ｓｈｌｌ、Ｓｈｒｌを記憶手段６４から取得し、前記式（１）、（２）に代入することにより、プロジェクタ１の設置位置と使用者の鑑賞位置との左右方向における位置関係に応じた音声信号の補正を行うことができ、プロジェクタ１の設置位置と使用者の鑑賞位置との位置関係に起因する音量バランスの悪化を防止できる。
【００５３】
図８は、ズームレンズの移動量と、プロジェクタ１に対する使用者の鑑賞位置とを示す図である。
図８に示すように、倍率調整手段４３２がズームレンズを移動させて投射レンズ４３１の倍率を増加させるほど、投射画像の画郭が拡大し、投射画像の中心がプロジェクタから離れていく。従って、ズームレンズ移動量取得部５１により取得されたズームレンズの移動量が大きいほど、投射画像の正面中央で投射画像を鑑賞する使用者の鑑賞位置は、左右方向においてプロジェクタ１から離れた位置となる。従って、補正部６３１は、取得されたズームレンズの移動量が大きいほど、使用者に近い側のスピーカの音量をより小さくするとともに使用者に遠い側のスピーカの音量をより大きくするように（左右の音量Ｌｖ，Ｒｖの差を大きくするように）音声信号を補正する。また、補正部６３１は、ズームレンズの移動量が小さい場合、すなわち、使用者の鑑賞位置がプロジェクタ１に近くなる場合には、左右の音量Ｌｖ，Ｒｖの差を小さくするように音声信号を補正する。
【００５４】
図９は、ズームレンズの移動量と補正係数ｚとの関係を示す図である。
具体的には、補正部６３１は、ズームレンズの移動量に対応した補正係数ｚを記憶手段６４から取得し、前記式（１）、（２）に代入することにより左右の音量Ｌｖ，Ｒｖを補正する。そこで、記憶手段６４には、図９に示すように、補正係数ｚがズームレンズの移動量に関連付けられた第３補正値テーブルＴ３が記憶されている。この補正値テーブルＴ３では、使用者の鑑賞位置が左右方向においてプロジェクタ１から遠くなる場合に取得される大きな値のズームレンズ移動量には、使用者に近い側のスピーカの音量をより小さくするとともに使用者に遠い側のスピーカの音量をより大きくする（左右の音量Ｌｖ，Ｒｖの差を大きくする）補正係数ｚ（１．１）が関連付けられており、使用者の鑑賞位置が左右方向においてプロジェクタ１に近くなる場合に取得される小さな値のズームレンズ移動量には、左右の音量Ｌｖ，Ｒｖの差を小さくする補正係数ｚ（０．９）が関連付けられている。従って、補正部６３１は、取得されたズームレンズの移動量に対応した補正係数ｚを記憶手段６４から取得し、前記式（１）、（２）に代入することにより、プロジェクタ１の設置位置と使用者の鑑賞位置との左右方向における位置関係に応じた音声信号の補正を行うことができ、プロジェクタ１の設置位置と使用者の鑑賞位置との左右方向における位置関係に起因する音量バランスの悪化を防止できる。
【００５５】
図１０は、フォーカスレンズの移動量と、プロジェクタ１に対する使用者の鑑賞位置とを示す図である。
図１０に示すように、フォーカス位置調整手段４３３がフォーカスレンズを移動させて投射レンズ４３１のフォーカス位置を画像光の投射方向先端側に移動させるほど、プロジェクタ１から離れた位置に投射画像が形成されることになるので、投射画像の画郭が拡大し、投射画像の中心がプロジェクタ１から離れていくことになる。すなわち、使用者の鑑賞位置が左右方向においてプロジェクタ１から離れていくことになる。
【００５６】
ここで、フォーカス位置調整手段４３３が、投射レンズ４３１のフォーカス位置を所定の基準位置から画像光の投射方向先端側に移動させるようにフォーカスレンズを移動させた場合、フォーカスレンズ移動量取得部５２は、プラス値のフォーカスレンズ移動量を取得する。逆に、フォーカス位置調整手段４３３が、投射レンズ４３１のフォーカス位置を所定の基準位置から画像光の投射方向基端側に移動させるようにフォーカスレンズを移動させた場合、フォーカスレンズ移動量取得部５２は、マイナス値のフォーカスレンズ移動量を取得する。
【００５７】
従って、補正部６３１は、使用者の鑑賞位置が左右方向においてプロジェクタ１から離れている場合、すなわち、取得されたフォーカスレンズ移動量がプラス値であった場合には、使用者に近い側のスピーカの音量をより小さするとともに使用者に遠い側のスピーカの音量をより大きくするように（左右の音量Ｌｖ，Ｒｖの差を大きくするように）音声信号を補正する。また、補正部６３１は、使用者の鑑賞位置が左右方向においてプロジェクタ１に近い場合、すなわち、取得されたフォーカスレンズ移動量がマイナス値であった場合には、左右の音量Ｌｖ，Ｒｖの差を小さくするように音声信号を補正する。
【００５８】
図１１は、フォーカスレンズの移動量と補正係数ｆとの関係を示す図である。
具体的には、補正部６３１は、フォーカスレンズ移動量に対応した補正係数ｆを記憶手段６４から取得し、前記式（１）、（２）に代入することにより左右の音量Ｌｖ，Ｒｖを補正する。そこで、記憶手段６４には、図１１に示すように、補正係数ｆがフォーカスレンズ移動量に関連付けられた第４補正テーブルＴ４が記憶されている。この補正テーブルＴ４では、使用者の鑑賞位置がプロジェクタ１から遠くなる場合に取得されるプラス値のフォーカスレンズ移動量には、使用者に近い側のスピーカの音量を小さくするとともに使用者に遠い側のスピーカの音量を大きくする（左右の音量Ｌｖ，Ｒｖの差を大きくする）補正係数ｆ（１．１）が関連付けられている。また、使用者の鑑賞位置がプロジェクタ１に近くなる場合に取得されるマイナス値のフォーカスレンズ移動量には、左右の音量Ｌｖ，Ｒｖの差を小さくする補正係数ｆ（０．９）が関連付けられている。従って、補正部６３１は、取得されたフォーカスレンズ移動量に対応した補正係数ｆを記憶手段６４から取得し、前記式（１）、（２）に代入することにより、プロジェクタ１の設置位置と使用者の鑑賞位置との左右方向における位置関係に応じた音声信号の補正を行うことができ、プロジェクタ１の設置位置と使用者の鑑賞位置との左右方向における位置関係に起因する音量バランスの悪化を防止できる。
【００５９】
〔プロジェクタによる音声信号の補正処理〕
以下、プロジェクタ１による音声信号の補正処理について説明する。
図１２は、プロジェクタ１による音声信号の補正処理を示すフローチャートである。
以下の各工程は、プロジェクタ１の電源が入れられることなどにより実行される。プロジェクタ１の電源が入れられることなどにより、音声取得手段６１は、プロジェクタ１に接続されたノートパソコン等の外部機器から、左右のスピーカ３１，３２から出力する音声に係る左，右音声信号を取得する（ステップＳ１）。
【００６０】
ステップＳ１の後、レンズシフト量取得部５３は、投射レンズ４３１の左右方向における移動量（レンズシフト量）を取得し、制御装置６に出力する（ステップＳ２）。このレンズシフト量は、プロジェクタ１の設置位置と投射画像の形成位置との左右方向における位置関係により変動する本発明の位置関係パラメータとなっている。なお、プロジェクタ１がスクリーンＳｃ（投射面において画像光を投影させたい領域）の正面中央に設置された場合には、レンズシフト量は０と取得される。
【００６１】
ステップＳ２の後、補正量取得部６２２は、画像情報に対する歪み補正部６２１の歪み補正量を取得する（ステップＳ３）。この歪み補正量も位置関係パラメータである。なお、プロジェクタ１がスクリーンＳｃ（投射面において画像光を投影させたい領域）の正面中央に設置された場合には、この歪み補正量も０と取得される。また、プロジェクタ１がスクリーンＳｃに対して左右方向にずれた位置に設置された場合であっても、レンズシフトを行うことによってスクリーンＳｃ上に投射画像を移動させた場合には、歪み補正量は０と取得される。
【００６２】
ステップＳ３の後、ズームレンズ移動量取得部５１は、位置関係パラメータであるズームレンズの移動量を取得し、制御装置６に出力する（ステップＳ４）。
ステップＳ４の後、フォーカスレンズ移動量取得部５２は、位置関係パラメータであるフォーカスレンズの移動量を取得し、制御装置６に出力する（ステップＳ５）。
【００６３】
ステップＳ５の後、判定部６３０は、レンズシフト量取得部５３により取得されたレンズシフト量と、補正量取得部６２２より取得された歪み補正量が共に０であるか否かを判定する（ステップＳ６）。取得されたレンズシフト量と補歪み補正量とが共に０であると判定部６３０により判定された場合（ステップＳ６：ＹＥＳ）、補正部６３１による補正が行われることなしに音声信号が第２出力部６３２により各スピーカ３１，３２に出力される（ステップＳ８）。
【００６４】
一方、取得されたレンズシフト量と補歪み補正量とが共には０でないと判定部６３０により判定された場合（ステップＳ６：ＮＯ）、補正部６３１は、取得された各位置関係パラメータに基づき、プロジェクタ１の設置位置と使用者の鑑賞位置との左右方向の位置関係に起因する音量および音質バランスの悪化を抑制するように、左右の音声信号の補正をそれぞれ行う（ステップＳ７）。この際、レンズシフトにより投射画像の移動が行われた場合には、通常、歪み補正は行われず、歪み補正量は０と取得されるので、補正部６３１は、レンズシフト量、ズームレンズの移動量、およびフォーカスレンズの移動量に基づいて音声信号の補正を行う。また、プロジェクタ１がスクリーンＳｃに向かって傾斜して配置されることによりスクリーンＳｃに投射画像が位置付けられている場合には、通常、レンズシフトは行われず、レンズシフト量は０と取得されるので、補正部６３１は、歪み補正量、ズームレンズの移動量、およびフォーカスレンズの移動量に基づいて音声信号の補正を行う。しかしながら、投射画像の移動がレンズシフトおよびプロジェクタ１の傾斜配置の両方により行われた場合には、補正部６３１は、レンズシフト量、歪み補正量、ズームレンズの移動量、およびフォーカスレンズの移動量に基づいて、音声信号の補正を行ってもよい。補正部６３１により補正された音声信号は、第２出力部６３２により各スピーカ３１，３２に出力される（ステップＳ８）。これにより、プロジェクタ１の設置位置と使用者の鑑賞位置との左右方向の位置関係に起因する音量および音質のバランスの悪化が抑制される。
【００６５】
〔本実施形態の効果〕
以上のような本実施形態のプロジェクタ１によれば、以下の効果を奏することができる。
パラメータ取得手段５１，５２，５３，６２２が、プロジェクタ１の設置位置と、投射画像の形成位置との左右方向における位置関係に係る位置関係パラメータを取得する。そして、補正部６３１が、プロジェクタ１と投射画像との左右方向における位置関係、すなわち、プロジェクタ１と、投射画像の正面中央で当該投射画像を鑑賞する使用者の鑑賞位置との左右方向における位置関係を示す位置関係パラメータに基づいて、使用者からの左右方向における距離が異なる左右のスピーカ３１，３２の音量および音質のバランスを調整する。
例えば補正部６３１は、位置関係パラメータが、使用者の鑑賞位置（投射画像の形成位置）がプロジェクタ１の左側にあることを示すものであった場合、左スピーカ３１（使用者の鑑賞位置からの距離が近い側のスピーカ）の音量を小さくし、右スピーカ３２（使用者の鑑賞位置から離れている側のスピーカ）の音量を大きくするように音声信号を補正する。また、位置関係パラメータが、使用者の鑑賞位置がプロジェクタ１から左右方向において離れていることを示すものであった場合、補正手段は、使用者からの距離が近い側のスピーカの音量をより小さくし、使用者から離れている側のスピーカの音量をより大きくするように音声信号を補正する。逆に、位置関係パラメータが、使用者の鑑賞位置がプロジェクタから左右方向において近いことを示すものであった場合、左右の音量の差を小さくするように音声信号を補正する。従って、プロジェクタ１の設置位置と使用者の鑑賞位置との位置関係に起因する左右のスピーカ３１，３２の音量および音質のバランスの悪化を抑制できる。
また、補正部６３１が、取得された位置関係パラメータに基づいて自動で音声信号を補正するので、各スピーカ３１，３２の音量および音声の調整を使用者が手動で行う必要がなく、プロジェクタ１の利便性を向上できる。
【００６６】
投射位置調整装置４４による投射光学装置４３の左右方向における移動量は、使用者の鑑賞位置がプロジェクタ１の左右いずれの側に位置するか、および、プロジェクタ１の設置位置と使用者の鑑賞位置との左右方向における距離を示す。これに対し、プロジェクタ１は、レンズシフト量取得部５３を備えているので、プロジェクタ１の設置位置と使用者の鑑賞位置との左右方向における位置関係を示す投射光学装置４３の左右方向における移動量を取得でき、これにより、補正部６３１がこの投射光学装置４３の移動量に基づいて音声信号を補正することができるので、確実にスピーカの音量および音質のバランスの悪化を抑制できる。
【００６７】
歪み補正部６２１による画像情報の歪み補正量は、使用者の鑑賞位置がプロジェクタの左右いずれの側に位置するか、および、プロジェクタ１の設置位置と使用者の鑑賞位置との左右方向における距離を示す。これに対し、プロジェクタ１は、補正量取得部６２２を備えているので、プロジェクタ１の設置位置と使用者の鑑賞位置との左右方向における位置関係を示す歪み補正量を取得でき、これにより、補正部６３１がこの画像情報の補正量に基づいて音声信号を補正することができるので、より確実にスピーカの音量および音質のバランスの悪化を抑制できる。
【００６８】
ズームレンズの移動量は、プロジェクタ１の設置位置と使用者の鑑賞位置との左右方向における距離を示す。これに対し、本発明によれば、プロジェクタ１は、ズームレンズ移動量取得部５１を備えているので、プロジェクタ１の設置位置と使用者の鑑賞位置との左右方向における距離を示すズームレンズの移動量を取得でき、これにより、補正部６３１がこのズームレンズの移動量に基づいて音声信号を補正することができるので、一層確実にスピーカの音量および音質のバランスの悪化を抑制できる。
【００６９】
フォーカスレンズの移動量は、プロジェクタ１の設置位置と使用者の鑑賞位置との左右方向における距離を示す。これに対し、プロジェクタ１は、フォーカスレンズ移動量取得部５２を備えているので、プロジェクタ１の設置位置と使用者の鑑賞位置との左右方向における距離を示すフォーカスレンズの移動量を取得でき、これにより、補正部６３１がこのフォーカスレンズの移動量に基づいて音声信号を補正することができるので、より一層確実にスピーカの音量および音質のバランスの悪化を抑制できる。
【００７０】
〔実施形態の変形〕
なお、本発明は前述の実施形態に限定されるものではなく、本発明の目的を達成できる範囲での変形、改良等は本発明に含まれるものである。
前記実施形態では、スピーカは、外装筐体１１の内部に設けられていたが、スピーカは、プロジェクタ１に接属され外装筐体１１の外部に設けられていてもよい。
前記実施形態では、スピーカは、２つのみ設けられていたが、スピーカは複数設けられていてもよい。
【００７１】
前記実施形態では、音声信号は一般的な２チャンネル（レフト・ライト）で構成されていたが、音声信号は、通常のレフト・ライトに加え、センター・レフトサラウンド・ライトサラウンドおよび低周波効果音（ＬＦＥ）を含む５．１チャンネルなど、３チャンネル以上で構成されていてもよい。従って、外装筐体１１の外部にスピーカが複数設けられ、例えば５．１チャンネルなど３チャンネル以上の音声出力に対応するように構成されていてもよい。このような場合であっても、補正手段は、プロジェクタの設置位置と使用者の鑑賞位置との左右方向における位置関係に基づいて、使用者からの左右方向における距離が異なる各スピーカの音量および音質のバランスを調整すればよい。例えば補正手段は、複数のスピーカのうち、左右方向において使用者の鑑賞位置からの距離が近いスピーカの音量を小さくし、使用者の鑑賞位置からの距離が遠いスピーカの音量を大きくするように音声信号を補正してもよい。
【００７２】
画素の輝度値が均一な画像情報に係るテスト画像を投射面に形成し、このテスト画像の左右方向における輝度値を撮像装置により取得した場合、輝度値のピーク位置は、投射面における投射画像の形成位置（使用者の鑑賞位置）とプロジェクタの設置位置との左右方向における位置関係を示す。従って、前記実施形態では、プロジェクタの設置位置と投射面における投射画像の形成位置（使用者の鑑賞位置）との位置関係を示す位置関係パラメータとして、レンズシフト量、歪み補正量、フォーカスレンズの移動量、およびズームレンズの移動量を取得したが、位置関係パラメータとして、前記テスト画像の左右方向における輝度値のピーク位置を取得してもよい。この場合、パラメータ取得部は、輝度値のピーク位置を判定する判定手段を備えて構成される。
【００７３】
図１３は、本発明の変形例に係るプロジェクタ１Ａを示す図である。
また、図１３に示すように、プロジェクタ１Ａを、本体側検出手段である地磁気センサと、相対角算出手段を有する本体１００と、装置側検出手段である地磁気センサを有する遠隔装置１１０とで構成する。そして、相対角算出手段は、本体１００の地磁気センサにより、本体側基準線Ｂ１の方位角θ１を取得する。また、使用者等が遠隔装置１１０をスクリーンＳｃに当接させることにより、遠隔装置１１０は、スクリーンＳｃの方位角θ２（装置側基準線Ｂ２の方位角θ２）を取得し、本体１００に出力する。そして、相対角算出手段は、これら本体側基準線Ｂ１の方位角θ１とスクリーンＳｃの方位角θ２とにより、相対角θ３を算出する。この相対角θ３は、左右方向におけるプロジェクタ１Ａの設置位置と投射画像の形成位置（使用者の鑑賞位置）との左右方向における位置関係、すなわち、使用者の鑑賞位置がプロジェクタ１Ａの右側または左側のいずれにあるのか、左右方向において使用者の鑑賞位置がプロジェクタ１Ａからどれほどの距離離れているのかを示す。従って、位置関係パラメータとして相対角θ３を取得してもよい。この場合、パラメータ取得部は、相対角算出手段を備えて構成される。
【００７４】
前記実施形態では、光変調装置は、光入射面と光射出面とが異なる透過型の液晶パネルを備えて構成されていたが、光変調装置は、光入射面と光射出面とが同一である反射型の液晶パネルを備えて構成されていてもよいし、ＤＭＤ（Digital Micromirror Device:米国テキサスインスツルメント社の商標）を備えて構成されていてもよい。
【産業上の利用可能性】
【００７５】
本発明は、左右のスピーカの音量および音質のバランスの悪化を抑制できるためプロジェクタに利用でき、特にプレゼンテーションやホームシアタに用いられるプロジェクタに好適に利用できる。
【図面の簡単な説明】
【００７６】
【図１】本発明の一実施形態に係るプロジェクタを示す斜視図。
【図２】前記実施形態に係るプロジェクタ本体の構成を示すブロック図。
【図３】前記実施形態に係る補正された画像情報に係る画像を示す図。
【図４】前記実施形態に係るレンズシフト量と、プロジェクタに対する使用者の鑑賞位置との関係とを示す図。
【図５】前記実施形態に係るレンズシフト量と補正係数との関係を示す図。
【図６】前記実施形態に係る歪み補正量と、プロジェクタに対する使用者の鑑賞位置とを示す図。
【図７】前記実施形態に係る歪み補正量と補正係数との関係を示す図。
【図８】前記実施形態に係るズームレンズの移動量と、プロジェクタに対する使用者の鑑賞位置とを示す図。
【図９】前記実施形態に係るズームレンズの移動量と補正係数との関係を示す図。
【図１０】前記実施形態に係るフォーカスレンズの移動量と、プロジェクタに対する使用者の鑑賞位置とを示す図。
【図１１】前記実施形態に係るフォーカスレンズの移動量と補正係数との関係を示す図。
【図１２】前記実施形態に係る音声信号の補正処理を示すフローチャート。
【図１３】本発明の変形例に係るプロジェクタを示す図。
【符号の説明】
【００７７】
１，１Ａ…プロジェクタ、３１…投射レンズ、４１…光源装置、４２…光変調装置、４３…投射光学装置、４４…投射位置調整装置、５１…ズームレンズ移動量取得部、５２…フォーカスレンズ移動量取得部、５３…レンズシフト量取得部（光学装置移動量取得部）、６０…画像取得手段、６１…音声取得手段、４３２…倍率調整手段、４３３…フォーカス位置調整手段、６２１…歪み補正部（歪み補正手段）、６２２…補正量取得部、６３１…補正部（補正手段）、６３２…第２出力部（出力手段）。
【図１】
2009229939.tif 000003
【図２】
2009229939.tif 000004
【図３】
2009229939.tif 000005
【図４】
2009229939.tif 000006
【図５】
2009229939.tif 000007
【図６】
2009229939.tif 000008
【図７】
2009229939.tif 000009
【図８】
2009229939.tif 000010
【図９】
2009229939.tif 000011
【図１０】
2009229939.tif 000012
【図１１】
2009229939.tif 000013
【図１２】
2009229939.tif 000014
【図１３】
2009229939.tif 000015